(57)【要約】【課題】照明機能を有する建材の設置工事を簡素化することが可能な照明装置付き建材を提供する。【解決手段】照明装置付き建材１は、建材４と照明装置５とを備えており、建材４と照明装置５とは、一体化されて１つのユニットとなっている。照明装置５は、建材４の表側へ光を射出する。この照明装置付き建材１の場合、照明装置付き建材１を設置することで、建材４の設置工事と照明装置５の設置工事とを同時に行うことが可能になる。【選択図】図１
2018104997.tif 000002
【特許請求の範囲】
【請求項１】
建材と、照明装置とを備え、
前記建材と前記照明装置とが一体化されて１つのユニットとなっており、
前記照明装置は、前記建材の表側へ光を射出することを特徴とする照明装置付き建材。
【請求項２】
前記照明装置は、導光板と、前記導光板の端面に臨むように配置される光源と、前記導光板および前記光源が収容される箱状の筐体と、前記筐体に固定される拡散板とを備え、
前記筐体に収容される前記導光板の厚さ方向における前記筐体の一方側の面は、開口しており、
前記拡散板は、前記開口を塞ぐように前記筐体に固定され、
前記建材には、前記照明装置が配置される凹部が形成されていることを特徴とする請求項１記載の照明装置付き建材。
【請求項３】
前記照明装置は、前記建材の裏側の面から突出しないように前記建材に固定されていることを特徴とする請求項１または２記載の照明装置付き建材。
【請求項４】
前記建材の表側の面は、平面状に形成され、
前記照明装置は、平板状に形成されるとともに、前記照明装置の厚さ方向の一方側から光を射出する面発光型の照明装置であり、
光を射出する前記照明装置の一方側の面を光射出側面とすると、
前記光射出側面は、平面状に形成され、前記建材の表側の面と同一平面上に配置されるか、または、前記建材の表側の面よりも奥側に配置され、
前記建材の表側の面および前記光射出側面は、化粧シートまたは突板で覆われていることを特徴とする請求項１から３のいずれかに記載の照明装置付き建材。
【請求項５】
前記光射出側面は、前記建材の表側の面よりも奥側に配置され、
前記化粧シートまたは前記突板は、前記光射出側面には固定されておらず、前記建材の表側の面に固定されていることを特徴とする請求項４記載の照明装置付き建材。
【請求項６】
前記照明装置は、平板状に形成されるとともに、前記照明装置の厚さ方向の一方側から光を射出する面発光型の照明装置であり、
光を射出する前記照明装置の一方側の面を光射出側面とすると、
前記照明装置の端面の、前記光射出側面に繋がる前記照明装置の厚さ方向の一方側の部分および前記光射出側面は、光を射出する光射出部となっており、
前記光射出部の少なくとも一部は、前記建材の表側の面よりも表側に配置されていることを特徴とする請求項１から３のいずれかに記載の照明装置付き建材。
【請求項７】
前記建材の表側の面および前記光射出側面は、化粧シートまたは突板で覆われ、
前記建材の表側の面および前記光射出側面が前記化粧シートで覆われている場合には、前記建材の表側の面を覆う前記化粧シートの模様と前記光射出側面を覆う前記化粧シートの模様とが連続しており、
前記建材の表側の面および前記光射出側面が前記突板で覆われている場合には、前記建材の表側の面を覆う前記突板の模様と前記光射出側面を覆う前記突板の模様とが連続していることを特徴とする請求項６記載の照明装置付き建材。
【請求項８】
前記建材は、前記建材の表側部分を構成する第１部材と、前記建材の裏側部分を構成する第２部材とを備え、
前記第１部材には、前記第１部材を貫通するとともに前記照明装置が配置される貫通穴が形成され、
前記第２部材は、前記貫通穴の一端を塞ぐように前記第１部材の裏側の面に固定されていることを特徴とする請求項１から７のいずれかに記載の照明装置付き建材。
【請求項９】
前記照明装置は、正方形または長方形の平板状に形成されるとともに、前記照明装置の厚さ方向の一方側から光を射出する面発光型の照明装置であり、
前記照明装置の４個の端面のうちの、互いに平行な２個の前記端面を第１端面とし、残りの２個の前記端面を第２端面とすると、
前記建材は、２個の前記第１端面のうちの一方の前記第１端面に接触する第１接触面と２個の前記第２端面のうちの一方の前記第２端面に接触する第２接触面とが形成される第３部材と、２個の前記第１端面のうちの他方の前記第１端面に接触する第３接触面と２個の前記第２端面のうちの他方の前記第２端面に接触する第４接触面とが形成される第４部材とを備え、
前記第３部材と前記第４部材とが組み合わされて、前記照明装置が配置される配置穴が形成されていることを特徴とする請求項１から８のいずれかに記載の照明装置付き建材。
【請求項１０】
前記建材の裏側の面には、前記照明装置から引き出される配線が配置される配線配置溝が形成されていることを特徴とする請求項１から９のいずれかに記載の照明装置付き建材。
【請求項１１】
前記建材の、前記照明装置を避けた箇所には、前記照明装置付き建材が固定される固定部材に前記照明装置付き建材を固定するためのネジの軸部が挿入される挿入穴が形成されていることを特徴とする請求項１から１０のいずれかに記載の照明装置付き建材。
【請求項１２】
請求項１から１１のいずれかに記載の照明装置付き建材と、前記照明装置付き建材が固定される固定部材とを備えることを特徴とする建築構造体。
【請求項１３】
隣接配置される少なくとも２個の前記照明装置付き建材を備え、
前記照明装置付き建材は、隣接する２個の前記照明装置付き建材同士を電気的に接続するための電気接点を備え、
前記建材は、正方形または長方形の平板状に形成され、
前記電気接点は、前記建材の端面に配置されていることを特徴とする請求項１２記載の建築構造体。
【請求項１４】
隣接配置される少なくとも２個の前記照明装置付き建材を備え、
前記照明装置付き建材は、隣接する２個の前記照明装置付き建材同士を電気的に接続するための電気接点を備え、
前記建材は、隣接する他の前記照明装置付き建材の前記建材と前記建材の厚さ方向において重なる重なり部を備え、
隣接する２個の前記照明装置付き建材のうちの一方の前記照明装置付き建材の前記重なり部を第１重なり部とし、他方の前記照明装置付き建材の前記重なり部を第２重なり部とすると、
前記第１重なり部は、前記建材の表側から前記第２重なり部に重なり、
前記第１重なり部の裏側の面に前記電気接点が配置され、前記第２重なり部の表側の面に前記電気接点が配置されていることを特徴とする請求項１２記載の建築構造体。
【請求項１５】
前記照明装置付き建材は、前記固定部材への前記照明装置付き建材の取付面となる前記照明装置付き建材の裏側の面に配置される第２の電気接点を備え、
前記固定部材は、前記第２の電気接点が接触する第３の電気接点を備えることを特徴とする請求項１２から１４のいずれかに記載の建築構造体。
【請求項１６】
前記照明装置付き建材は、前記固定部材への前記照明装置付き建材の取付面となる前記照明装置付き建材の裏側の面に配置される永久磁石または軟磁性部材を備え、
前記照明装置付き建材が前記永久磁石を備えている場合には、前記固定部材は、前記永久磁石を吸着する第２の永久磁石または第２の軟磁性部材を備え、
前記照明装置付き建材が前記軟磁性部材を備えている場合には、前記固定部材は、前記軟磁性部材を吸着する第２の永久磁石を備えることを特徴とする請求項１２から１５のいずれかに記載の建築構造体。
【請求項１７】
少なくとも２個の前記照明装置付き建材を備え、
少なくとも２個の前記照明装置付き建材の表側の面は、共通の化粧シートまたは突板で覆われていることを特徴とする請求項１６記載の建築構造体。
【発明の詳細な説明】
【技術分野】
【０００１】
本発明は、建材と照明装置とを備える照明装置付き建材に関する。また、本発明は、かかる照明装置付き建材を備える建築構造体に関する。
【背景技術】
【０００２】
従来、天井材の埋込穴に取り付けられるＬＥＤ照明装置が知られている（たとえば、特許文献１参照）。特許文献１に記載のＬＥＤ照明装置は、天井材に形成されている埋込穴に挿入されて固定されている。
【先行技術文献】
【特許文献】
【０００３】
【特許文献１】特開２０１６−２０７３７５号公報
【発明の概要】
【発明が解決しようとする課題】
【０００４】
特許文献１では、天井材にＬＥＤ照明装置が取り付けられており、天井材は照明機能を備えている。一方で、特許文献１では、天井材を取り付ける内装工事が終わった後に、天井材にＬＥＤ照明装置を取り付ける電気工事をしなければならないため、照明機能を有する天井材の設置工事が煩雑になる。そこで、本発明の課題は、照明機能を有する建材の設置工事を簡素化することが可能な照明装置付き建材を提供することにある。
【課題を解決するための手段】
【０００５】
上記の課題を解決するため、本発明の照明装置付き建材は、建材と、照明装置とを備え、建材と照明装置とが一体化されて１つのユニットとなっており、照明装置は、建材の表側へ光を射出することを特徴とする。
【０００６】
本発明の照明装置付き建材では、建材と照明装置とが一体化されて１つのユニットとなっている。そのため、本発明では、照明装置付き建材を設置することで、建材の設置工事と照明装置の設置工事とを同時に行うことが可能になる。したがって、本発明では、照明機能を有する建材の設置工事を簡素化することが可能になる。
【０００７】
本発明において、照明装置は、導光板と、導光板の端面に臨むように配置される光源と、導光板および光源が収容される箱状の筐体と、筐体に固定される拡散板とを備え、筐体に収容される導光板の厚さ方向における筐体の一方側の面は、開口しており、拡散板は、開口を塞ぐように筐体に固定され、建材には、照明装置が配置される凹部が形成されていることが好ましい。このように構成すると、ユニット化された照明装置を建材の凹部に配置すれば良い。すなわち、筺体に固定される拡散板と筺体とに囲まれた内部空間に導光板および光源が配置されていて、ユニット化されている照明装置を建材の凹部に配置すれば良い。したがって、建材への照明装置の取り付けが容易になる。すなわち、建材と照明装置との一体化が容易になる。
【０００８】
本発明において、照明装置は、建材の裏側の面から突出しないように建材に固定されていることが好ましい。このように構成すると、建材の裏側の面から照明装置が突出していないため、照明装置付き建材を通常の建材と同様に設置することが可能になり、照明装置付き建材が固定される固定部材の構造的な制約をなくすことが可能になる。したがって、照明装置付き建材の使い勝手が良くなる。
【０００９】
本発明において、建材の表側の面は、平面状に形成され、照明装置は、平板状に形成されるとともに、照明装置の厚さ方向の一方側から光を射出する面発光型の照明装置であり、光を射出する照明装置の一方側の面を光射出側面とすると、光射出側面は、平面状に形成され、建材の表側の面と同一平面上に配置されるか、または、建材の表側の面よりも奥側に配置され、建材の表側の面および光射出側面は、化粧シートまたは突板で覆われていることが好ましい。
【００１０】
このように構成すると、化粧シートまたは突板で覆われる光射出側面が、建材の表側の面と同一平面上に配置されるか、または、建材の表側の面よりも奥側に配置されているため、照明装置付き建材の表側の面である化粧面の出っ張りをなくすことが可能になる。また、化粧シートまたは突板で覆われている照明装置付き建材の化粧面の出っ張りをなくすことが可能になるため、照明装置が光を射出していないときには、照明装置が建材に取り付けられていることをわかりにくくすることが可能になる。また、照明装置が光を射出していないときに照明装置が建材に取り付けられていることがわかりにくくなると、照明装置が光を射出したときに、何もないと思われていた照明装置付き建材の化粧面の所定の箇所を光らせることが可能になる。したがって、照明装置付き建材の意匠的な効果を高めることが可能になる。
【００１１】
本発明において、光射出側面は、建材の表側の面よりも奥側に配置され、化粧シートまたは突板は、光射出側面には固定されておらず、建材の表側の面に固定されていることが好ましい。このように構成すると、照明装置付き建材の表側の面である化粧面の窪みをなくすことが可能になり、照明装置付き建材の化粧面を平面にすることが可能になる。したがって、照明装置が光を射出していないときに、照明装置が建材に取り付けられていることがよりわかりにくくなる。
【００１２】
本発明において、照明装置は、平板状に形成されるとともに、照明装置の厚さ方向の一方側から光を射出する面発光型の照明装置であり、光を射出する照明装置の一方側の面を光射出側面とすると、照明装置の端面の、光射出側面に繋がる照明装置の厚さ方向の一方側の部分および光射出側面は、光を射出する光射出部となっており、光射出部の少なくとも一部は、建材の表側の面よりも表側に配置されていることが好ましい。このように構成すると、より広がりのある光を照明装置から射出することが可能になる。したがって、照明装置付き建材の意匠的な効果を高めることが可能になる。
【００１３】
また、この場合には、建材の表側の面および光射出側面は、化粧シートまたは突板で覆われ、建材の表側の面および光射出側面が化粧シートで覆われている場合には、建材の表側の面を覆う化粧シートの模様と光射出側面を覆う化粧シートの模様とが連続しており、建材の表側の面および光射出側面が突板で覆われている場合には、建材の表側の面を覆う突板の模様と光射出側面を覆う突板の模様とが連続していることが好ましい。このように構成すると、建材の表側の面よりも表側に光射出部の少なくとも一部が配置されていても、照明装置が光を射出していないときに、照明装置が建材に取り付けられていることをわかりにくくすることが可能になる。
【００１４】
本発明において、建材は、建材の表側部分を構成する第１部材と、建材の裏側部分を構成する第２部材とを備え、第１部材には、第１部材を貫通するとともに照明装置が配置される貫通穴が形成され、第２部材は、貫通穴の一端を塞ぐように第１部材の裏側の面に固定されていることが好ましい。このように構成すると、１個の建材に照明装置が配置される凹部が形成されている場合と比較して、建材の加工が容易になる。
【００１５】
本発明において、照明装置は、正方形または長方形の平板状に形成されるとともに、照明装置の厚さ方向の一方側から光を射出する面発光型の照明装置であり、照明装置の４個の端面のうちの、互いに平行な２個の端面を第１端面とし、残りの２個の端面を第２端面とすると、建材は、２個の第１端面のうちの一方の第１端面に接触する第１接触面と２個の第２端面のうちの一方の第２端面に接触する第２接触面とが形成される第３部材と、２個の第１端面のうちの他方の第１端面に接触する第３接触面と２個の第２端面のうちの他方の第２端面に接触する第４接触面とが形成される第４部材とを備え、第３部材と第４部材とが組み合わされて、照明装置が配置される配置穴が形成されていることが好ましい。
【００１６】
このように構成すると、たとえば、第１接触面および第３接触面の幅を第１端面の長さよりもわずかに短くすることで、第２接触面および第４接触面と第２端面とを確実に接触させることが可能になるとともに、第１接触面および第３接触面と第１端面とを確実に接触させることが可能になる。したがって、建材の配置穴の側面と照明装置との間に隙間が形成されにくくなる。
【００１７】
本発明において、建材の裏側の面には、照明装置から引き出される配線が配置される配線配置溝が形成されていることが好ましい。このように構成すると、照明装置から配線が引き出されていても、建材の裏側の面から配線がはみ出さないように配線を引き回すことが可能になる。また、建材の裏側の面から配線が突出しないように配線を引き回すことで、照明装置付き建材を通常の建材と同様に設置することが可能になり、照明装置付き建材が固定される固定部材の構造的な制約をなくすことが可能になる。したがって、照明装置付き建材の使い勝手が良くなる。
【００１８】
本発明において、たとえば、建材の、照明装置を避けた箇所には、照明装置付き建材が固定される固定部材に照明装置付き建材を固定するためのネジの軸部が挿入される挿入穴が形成されている。この場合には、たとえば、タッピングネジの軸部を挿入穴にねじ込むことで固定部材に照明装置付き建材を固定することが可能になるため、固定部材への照明装置付き建材の固定作業が容易になる。
【００１９】
本発明の照明装置付き建材は、照明装置付き建材が固定される固定部材を備える建築構造体に用いることができる。この建築構造体では、照明装置付き建材を固定部材に固定することで、建材の設置工事と照明装置の設置工事とを同時に行うことが可能になるため、照明機能を有する建材の設置工事を簡素化することが可能になる。
【００２０】
本発明において、建築構造体は、隣接配置される少なくとも２個の照明装置付き建材を備え、照明装置付き建材は、隣接する２個の照明装置付き建材同士を電気的に接続するための電気接点を備え、建材は、正方形または長方形の平板状に形成され、電気接点は、建材の端面に配置されていることが好ましい。このように構成すると、照明装置付き建材を固定部材に固定することで、隣接する２個の照明装置付き建材を、電気接点を用いて電気的に容易に接続することが可能になる。したがって、照明装置に電力を供給するための配線の処理を簡素化することが可能になる。また、このように構成すると、１個の照明装置付き建材に電力を供給すれば、残りの照明装置付き建材にも電力を供給することが可能になる。
【００２１】
本発明において、建築構造体は、隣接配置される少なくとも２個の照明装置付き建材を備え、照明装置付き建材は、隣接する２個の照明装置付き建材同士を電気的に接続するための電気接点を備え、建材は、隣接する他の照明装置付き建材の建材と建材の厚さ方向において重なる重なり部を備え、隣接する２個の照明装置付き建材のうちの一方の照明装置付き建材の重なり部を第１重なり部とし、他方の照明装置付き建材の重なり部を第２重なり部とすると、第１重なり部は、建材の表側から第２重なり部に重なり、第１重なり部の裏側の面に電気接点が配置され、第２重なり部の表側の面に電気接点が配置されていても良い。
【００２２】
この場にも、照明装置付き建材を固定部材に固定することで、隣接する２個の照明装置付き建材を、電気接点を用いて電気的に容易に接続することが可能になる。したがって、照明装置に電力を供給するための配線の処理を簡素化することが可能になる。また、この場合にも、１個の照明装置付き建材に電力を供給すれば、残りの照明装置付き建材にも電力を供給することが可能になる。また、この場合には、建材の端面に電気接点が配置されている場合と比較して、一方の照明装置付き建材の電気接点と、他方の照明装置付き建材の電気接点とを確実に接触させやすくなる。
【００２３】
本発明において、照明装置付き建材は、固定部材への照明装置付き建材の取付面となる照明装置付き建材の裏側の面に配置される第２の電気接点を備え、固定部材は、第２の電気接点が接触する第３の電気接点を備えていることが好ましい。このように構成すると、照明装置付き建材を固定部材に固定することで、照明装置付き建材と固定部材とを、第２の電気接点および第３の電気接点を用いて電気的に容易に接続することが可能になる。したがって、照明装置に電力を供給するための配線の処理を簡素化することが可能になる。
【００２４】
本発明において、照明装置付き建材は、固定部材への照明装置付き建材の取付面となる照明装置付き建材の裏側の面に配置される永久磁石または軟磁性部材を備え、照明装置付き建材が永久磁石を備えている場合には、固定部材は、永久磁石を吸着する第２の永久磁石または第２の軟磁性部材を備え、照明装置付き建材が軟磁性部材を備えている場合には、固定部材は、軟磁性部材を吸着する第２の永久磁石を備えていることが好ましい。このように構成すると、磁気的な吸引力によって照明装置付き建材を固定部材に固定することが可能になる。したがって、照明装置付き建材の固定部材への固定作業が容易になるとともに、照明装置付き建材の固定部材からの取外し作業が容易になる。
【００２５】
この場合には、建築構造体は、少なくとも２個の照明装置付き建材を備え、少なくとも２個の照明装置付き建材の表側の面は、共通の化粧シートまたは突板で覆われていることが好ましい。このように構成すると、固定部材からの照明装置付き建材の外れを、共通の化粧シートまたは突板によって防止することが可能になる。したがって、磁気的な吸引力によって照明装置付き建材が固定部材に固定されていても、固定部材からの照明装置付き建材の外れを防止することが可能になる。
【発明の効果】
【００２６】
以上のように、本発明の照明装置付き建材では、照明機能を有する建材の設置工事を簡素化することが可能になる。
【図面の簡単な説明】
【００２７】
【図１】本発明の実施の形態にかかる照明装置付き建材の斜視図である。
【図２】図１に示す照明装置付き建材の背面図である。
【図３】図１のＥ−Ｅ断面の構成を説明するための図である。
【図４】図１に示す照明装置の斜視図である。
【図５】図４に示す照明装置の分解斜視図である。
【図６】図５に示す拡散板を反対側から示す斜視図である。
【図７】本発明の他の実施の形態にかかる照明装置付き建材の断面の構成を説明するための図である。
【図８】本発明の他の実施の形態にかかる照明装置付き建材の斜視図である。
【図９】図８のＦ−Ｆ断面の構成を説明するための図である。
【図１０】本発明の他の実施の形態にかかる照明装置付き建材の斜視図である。
【図１１】本発明の他の実施の形態にかかる照明装置付き建材の斜視図である。
【図１２】本発明の他の実施の形態にかかる第１部材の構成を説明するための正面図である。
【図１３】本発明の他の実施の形態にかかる照明装置付き建材の斜視図である。
【図１４】図１３のＧ−Ｇ断面の構成を説明するための図である。
【図１５】本発明の他の実施の形態にかかる照明装置付き建材の構成を説明するための正面図である。
【図１６】本発明の他の実施の形態にかかる照明装置付き建材の構成を説明するための図であり、（Ａ）は正面図、（Ｂ）は（Ａ）のＨ−Ｈ断面の断面図である。
【図１７】本発明の他の実施の形態にかかる構造材の構成を説明するための正面図である。
【図１８】図１７のＪ−Ｊ方向から建築構造体の構成を説明するための図である。
【図１９】図１７のＫ−Ｋ方向から建築構造体の構成を説明するための図である。
【発明を実施するための形態】
【００２８】
以下、図面を参照しながら、本発明の実施の形態を説明する。
【００２９】
（照明装置付き建材の構成）
図１は、本発明の実施の形態にかかる照明装置付き建材１の斜視図である。図２は、図１に示す照明装置付き建材１の背面図である。図３は、図１のＥ−Ｅ断面の構成を説明するための図である。図４は、図１に示す照明装置５の斜視図である。図５は、図４に示す照明装置５の分解斜視図である。図６は、図５に示す拡散板１１を反対側から示す斜視図である。
【００３０】
本形態の照明装置付き建材１は、固定部材としての構造材２（図３参照）に固定される仕上げ材である。また、照明装置付き建材１は、室内を装飾する内装材である。具体的には、照明装置付き建材１は、板状に形成された壁材（化粧板）である。この照明装置付き建材１は、長方形の平板状に形成されている。照明装置付き建材１は、たとえば、接着剤によって構造材２に固定されている。本形態では、照明装置付き建材１と構造材２とによって建築構造体３が構成されている。また、照明装置付き建材１は、建材４と、建材４に取り付けられる照明装置５と、化粧シート６とを備えている。
【００３１】
以下の説明では、長方形の平板状に形成される照明装置付き建材１の厚さ方向の一方側（図１等のＺ１方向側）を「前」側とし、その反対側である照明装置付き建材１の厚さ方向の他方側（図１等のＺ２方向側）を「後ろ」側とする。本形態の前側（Ｚ１方向側）は、照明装置付き建材１の表側である。照明装置付き建材１の前面（表側の面）は、室内側を向いており、化粧面となっている。また、後ろ側（Ｚ２方向側）は、照明装置付き建材１の裏側であり、照明装置付き建材１の後面（裏側の面）は、構造材２側を向いている。
【００３２】
照明装置５は、平板状に形成されている。具体的には、照明装置５は、正方形の平板状に形成されている。照明装置５は、照明装置５の厚さ方向と前後方向とが一致するように建材４に取り付けられている。すなわち、前後方向は、照明装置５の厚さ方向となっている。また、照明装置５は、照明装置５の厚さ方向の一方側から光を射出する面発光型の照明装置であり、照明装置５は、前側から光を射出する。
【００３３】
照明装置５は、導光板８と、導光板８に向かって光を射出する光源としての複数のＬＥＤ（Ｌｉｇｈｔ  Ｅｍｉｔｔｉｎｇ  Ｄｉｏｄｅ）９と、ＬＥＤ９が実装される基板１０と、導光板８の前側に配置され導光板８が発する光を拡散する拡散板１１と、導光板８、ＬＥＤ９および基板１０が収容されるとともに拡散板１１が固定される筐体１２とを備えている。
【００３４】
筐体１２は、前後方向の厚さが薄い扁平な直方体の箱状に形成されている。また、筐体１２は、筐体１２の後面を構成する底面部１２ａと、底面部１２ａから前側へ立ち上がるように形成される側壁部１２ｂとから構成されており、筐体１２の前面は、開口している。すなわち、前後方向における筐体１２の一方側の面は、開口している。底面部１２ａは、正方形の平板状に形成されている。側壁部１２ｂは、扁平な四角筒状に形成されている。
【００３５】
導光板８は、光透過率の高いアクリル系樹脂によって形成されている。また、導光板８は、球形粒子である光散乱粒子が多数含有された光散乱導光体であり、導光板８に入射した光は、導光板８の中で光散乱粒子によって散乱する。導光板８は、正方形の平板状に形成されている。導光板８は、導光板８の厚さ方向と前後方向とが一致するように筐体１２に収容されている。すなわち、前後方向は、筐体１２に収容される導光板８の厚さ方向となっている。導光板８の前面は、導光板８の光射出面８ａとなっている。導光板８の後面と底面部１２ａとの間には、図示を省略する反射板が配置されている。
【００３６】
基板１０は、フレキシブルプリント基板であり、細長い長方形の平板状に形成されている。基板１０には、複数のＬＥＤ９が実装されている。ＬＥＤ９は、導光板８の端面に臨むように配置されている。すなわち、基板１０は、導光板８の端面に対向するように配置されている。基板１０は、導光板８の端面と側壁部１２ｂとの間に配置された状態で、筐体１２に収容されている。なお、基板１０が対向配置されていない導光板８の端面には、図示を省略する反射板が対向配置されている。
【００３７】
基板１０は、ＬＥＤ９の駆動回路が実装される回路基板（図示省略）に接続されている。この回路基板は、たとえば、リジッド基板であり、筐体１２に収容されている。この回路基板には、配線１４が接続されている。配線１４は、筐体１２の後ろ側に引き出されている。すなわち、配線１４は、照明装置５から引き出されている。底面部１２ａには、配線１４を後ろ側へ引き出すための貫通穴（図示省略）が形成されている。なお、図５では、配線１４の図示を省略している。
【００３８】
拡散板１１は、光透過率の高いアクリル系樹脂またはポリカーボネイトによって形成されている。また、拡散板１１は、光散乱粒子が多数含有された光散乱導光体であり、拡散板１１に入射した光は、拡散板１１の中で光散乱粒子によって散乱する。拡散板１１は、正方形の略平板状に形成されている。拡散板１１は、拡散板１１の厚さ方向と前後方向とが一致するように配置されている。また、拡散板１１は、側壁部１２ｂの前端に固定されており、筐体１２の開口を塞いでいる。拡散板１１の前面１１ａは、照明装置５の前面となっている。前面１１ａは、平面状に形成されている。また、拡散板１１は、導光板８の前側に配置されている。前後方向から見たときの拡散板１１の外形は、筐体１２の外形とほぼ等しくなっている。
【００３９】
図６に示すように、拡散板１１は、導光板８に向かって突出する（すなわち、後ろ側へ突出する）突出部１１ｂを備えている。突出部１１ｂは、拡散板１１の外周面１１ｃに沿って形成されており、正方形の枠状に形成されている。本形態では、拡散板１１の前面１１ａおよび外周面１１ｃは、光を射出する光射出部１１ｄとなっている。すなわち、正方形の平板状に形成される照明装置５の前面、および、照明装置５の前面に繋がる照明装置５の端面の前側部分は、光を射出する光射出部１１ｄとなっている。本形態の前面１１ａは、光を射出する照明装置５の一方側の面である光射出側面となっている。以下では、前面１１ａを「光射出側面１１ａ」とする。
【００４０】
上述のように、導光板８、ＬＥＤ９および基板１０は、底面部１２ａと側壁部１２ｂとから構成される筐体１２に収容されている。また、拡散板１１は、筐体１２の側壁部１２ｂの前端に固定されている。そのため、照明装置５は、１つのユニットになっている。すなわち、本形態の照明装置５は、ユニット化された照明装置である。また、本形態では、照明装置５で使用される二次電圧は、３６Ｖ（ボルト）以下となっている。
【００４１】
建材４は、樹脂製または木製等の板状部材であり、長方形の平板状に形成されている。建材４の厚さ方向は、前後方向と一致している。すなわち、前後方向は、建材４の厚さ方向となっている。本形態の建材４は、建材４の前側部分（表側部分）を構成する第１部材１７と、建材４の後側部分（裏側部分）を構成する第２部材１８とから構成されている。第１部材１７および第２部材１８は、長方形の平板状に形成されている。第１部材１７の外形と第２部材１８の外形とは等しくなっている。第１部材１７の前面は、平板状に形成されている。すなわち、建材４の前面（表側の面）は、平板状に形成されている。
【００４２】
第１部材１７の中心には、照明装置５が配置される貫通穴１７ａが形成されている。貫通穴１７ａは、第１部材１７を前後方向で貫通している。また、貫通穴１７ａは、照明装置５の形状に応じた正方形状に形成されている。第２部材１８は、貫通穴１７ａの一端（後端）を塞ぐように第１部材１７の後面（裏側の面）に固定されている。すなわち、建材４には、照明装置５が配置される凹部４ａが形成されている。この凹部４ａは、建材４の前面から後ろ側に向かって窪むように形成されている。
【００４３】
第２部材１８には、配線１４が配置される配線配置溝１８ａが形成されている。すなわち、建材４の後面（裏側の面）には、照明装置５から引き出される配線１４が配置される配線配置溝１８ａが形成されている。配線配置溝１８ａは、たとえば、第２部材１８の中心から第２部材１８の端面に向かう直線状に形成されている。
【００４４】
照明装置５は、凹部４ａの中（すなわち、貫通穴１７ａの中）に配置された状態で建材４に固定されている。たとえば、図示を省略するネジによって筐体１２が第２部材１８に固定されている。すなわち、建材４と照明装置５とは一体化されており、１つのユニットになっている。すなわち、建材４と照明装置５とは１つのユニットとして一体化されている。また、配線１４は、建材４の後面から後ろ側へはみ出さないように配線配置溝１８ａの中に配置されており、照明装置５は、建材４の後面（裏側の面）から後ろ側へ突出しないように建材４に固定されている。照明装置５は、建材４の表側へ光を射出する。
【００４５】
化粧シート６は、透光性を有する透光性材料で形成されている。たとえば、化粧シート６は、透光性を有する樹脂、布あるいは紙等で形成されている。この化粧シート６は、第１部材１７の前面および拡散板１１の光射出側面１１ａを覆っている。具体的には、１枚の化粧シート６が第１部材１７の前面および光射出側面１１ａを覆っている。すなわち、建材４の前面（表側の面）および照明装置５の光射出側面１１ａは、化粧シート６で覆われている。なお、本明細書における「化粧シート６」には、シート状に形成されたもののほか、薄板状に形成されたものも含まれる。
【００４６】
図３に示すように、第１部材１７の前面と光射出側面１１ａとは同一平面上に配置されている。化粧シート６は、第１部材１７の前面および光射出側面１１ａに固定されている。具体的には、化粧シート６は、接着によって、第１部材１７の前面および光射出側面１１ａに貼り付けられている。なお、光射出側面１１ａには、化粧シート６が貼り付けられていなくても良い。
【００４７】
（本形態の主な効果）
以上説明したように、本形態の照明装置付き建材１は、建材４と、照明装置５とを備えており、建材４と照明装置５とが一体化されて１つのユニットとなっている。また、本形態では、照明装置５は、建材４の前側（表側）へ光を射出している。このように、本形態では、建材４と照明装置５とが一体化されて１つのユニットとなっている。そのため、本形態では、照明装置付き建材１を設置することで、建材４の設置工事と照明装置５の設置工事とを同時に行うことが可能になる。したがって、本形態では、照明機能を有する建材（すなわち、照明装置付き建材１）の設置工事を簡素化することが可能になる。なお、本形態では、照明装置５で使用される二次電圧が３６ボルト以下となっているため、電気工事士の資格がなくても、照明装置付き建材１の設置工事を行うことができる。
【００４８】
本形態のように、照明装置５は、導光板８と、導光板８の端面に臨むように配置されるＬＥＤ９と、導光板８およびＬＥＤ９が収容される箱状の筐体１２と、筐体１２に固定される拡散板１１とを備え、筐体１２の前面は、開口しており、拡散板１１は、開口を塞ぐように筐体１２に固定され、建材４には、照明装置５が配置される凹部４ａが形成されていることが好ましい。このようにすると、ユニット化された照明装置５を建材４の凹部４ａに配置すれば良い。すなわち、筺体１２に固定される拡散板１１と筺体１２とに囲まれた内部空間に導光板８およびＬＥＤ９が配置されていて、ユニット化されている照明装置５を建材４の凹部４ａに配置すれば良い。したがって、建材４への照明装置５の取り付けが容易になる。すなわち、建材４と照明装置５との一体化が容易になる。
【００４９】
本形態のように、照明装置５は、建材４の後面（裏側の面）から突出しないように建材４に固定されていることが好ましい。このようにすると、建材４の後面から照明装置５が突出していないため、照明装置付き建材１を通常の建材と同様に設置することが可能になり、照明装置付き建材１が固定される構造材２の構造的な制約をなくすことが可能になる。したがって、照明装置付き建材１の使い勝手が良くなる。
【００５０】
本形態のように、建材４の前面（表側の面）は、平面状に形成され、照明装置５は、平板状に形成されるとともに、照明装置５の厚さ方向の一方側から光を射出する面発光型の照明装置であり、光を射出する照明装置５の光射出側面１１ａは、平面状に形成されるとともに、建材４の前面と同一平面上に配置され、建材４の前面および光射出側面１１ａは、化粧シート６で覆われていることが好ましい。
【００５１】
このようにすると、化粧シート６で覆われる光射出側面１１ａが、建材４の前面と同一平面上に配置されているため、照明装置付き建材１の前面である化粧面の出っ張りをなくすことが可能になる。また、化粧シート６で覆われている照明装置付き建材１の化粧面の出っ張りをなくすことが可能になるため、照明装置５が光を射出していないときには、照明装置５が建材４に取り付けられていることをわかりにくくすることが可能になる。また、照明装置５が光を射出していないときに照明装置５が建材４に取り付けられていることがわかりにくくなると、照明装置５が光を射出したときに、何もないと思われていた照明装置付き建材１の化粧面の所定の箇所を光らせることが可能になる。したがって、照明装置付き建材１の意匠的な効果を高めることが可能になる。
【００５２】
本形態のように、建材４は、建材４の前側部分（表側部分）を構成する第１部材１７と、建材４の後ろ側部分（裏側部分）を構成する第２部材１８とを備え、第１部材１７には、第１部材１７を貫通するとともに照明装置５が配置される貫通穴１７ａが形成され、第２部材１８は、貫通穴１７ａの一端を塞ぐように第１部材１７の後面（裏側の面）に固定されていることが好ましい。このようにすると、１個の建材４に照明装置５が配置される凹部４ａが形成されている場合と比較して、建材４の加工が容易になる。
【００５３】
本形態のように、建材４の後面（裏側の面）には、照明装置５から引き出される配線１４が配置される配線配置溝１８ａが形成されていることが好ましい。このようにすると、照明装置５から配線１４が引き出されていても、建材４の後面から配線１４がはみ出さないように配線１４を引き回すことが可能になる。また、建材４の後面から配線１４がはみ出さないに配線１４を引き回すことで、照明装置付き建材１を通常の建材と同様に設置することが可能になり、照明装置付き建材１が固定される構造材２の構造的な制約をなくすことが可能になる。したがって、照明装置付き建材１の使い勝手が良くなる。
【００５４】
（照明装置付き建材の変形例１）
上述した形態では、建材４の前面および光射出側面１１ａは、化粧シート６で覆われているが、建材４の前面および光射出側面１１ａが突板で覆われていても良い。この場合には、突板は、透光性を有している。また、建材４の前面および光射出側面１１ａが化粧シート６および突板で覆われていなくても良い。
【００５５】
（照明装置付き建材の変形例２）
図７は、本発明の他の実施の形態にかかる照明装置付き建材１の断面の構成を説明するための図である。図７では、上述した形態と同一の構成には、同一の符号を付している。
【００５６】
上述した形態において、図７に示すように、光射出側面１１ａが第１部材１７の前面より奥側（後ろ側）に配置されていても良い。すなわち、建材４の前面（表側の面）は、平面状に形成され、照明装置５は、平板状に形成されるとともに、照明装置５の厚さ方向の一方側から光を射出する面発光型の照明装置であり、光を射出する照明装置５の光射出側面１１ａは、平面状に形成されるとともに、建材４の前面よりも奥側に配置され、建材４の前面および光射出側面１１ａは、化粧シート６で覆われていても良い。
【００５７】
この場合であっても、化粧シート６で覆われる光射出側面１１ａが、建材４の前面よりも奥側に配置されているため、照明装置付き建材１の前面である化粧面の出っ張りをなくすことが可能になる。また、化粧シート６で覆われている照明装置付き建材１の化粧面の出っ張りをなくすことが可能になるため、照明装置５が光を射出していないときには、照明装置５が建材４に取り付けられていることをわかりにくくすることが可能になる。また、照明装置５が光を射出していないときに照明装置５が建材４に取り付けられていることがわかりにくくなると、照明装置５が光を射出したときに、何もないと思われていた照明装置付き建材１の化粧面の所定の箇所を光らせることが可能になる。したがって、照明装置付き建材１の意匠的な効果を高めることが可能になる。
【００５８】
また、この場合には、化粧シート６は、光射出側面１１ａには固定されておらずに、建材４の前面のみに固定されていることが好ましい。たとえば、化粧シート６は、建材４の前面のみに接着によって貼り付けられていることが好ましい。すなわち、光射出側面１１ａは、建材４の前面（表側の面）よりも奥側に配置され、化粧シート６は、光射出側面１１ａには固定されておらず、建材４の前面（表側の面）に固定されていることが好ましい。このようにすると、照明装置付き建材１の前面である化粧面の窪みをなくすことが可能になり、照明装置付き建材１の化粧面を平面にすることが可能になる。したがって、照明装置５が光を射出していないときに、照明装置５が建材に取り付けられていることがよりわかりにくくなる。
【００５９】
（照明装置付き建材の変形例３）
図８は、本発明の他の実施の形態にかかる照明装置付き建材１の斜視図である。図９は、図８のＦ−Ｆ断面の構成を説明するための図である。図８、図９では、上述した形態と同一の構成には、同一の符号を付している。
【００６０】
上述した形態において、図８、図９に示すように、光射出側面１１ａが第１部材１７の前面より前側に配置されていても良い。すなわち、光射出部１１ｄの全部または一部が、建材４の前面よりも前側に配置されていても良い。たとえば、光射出部１１ｄの後端（拡散板１１の外周面１１ｃの後端）が、前後方向において建材４の前面と同じ位置に配置されていても良いし、光射出部１１ｄの前端（光射出側面１１ａ）が建材４の前面より前側に配置され、かつ、光射出部１１ｄの後端が建材４の前面より後ろ側に配置されていても良い。また、光射出部１１ｄの後端が、前後方向において化粧シート６の前面と同じ位置に配置されていても良いし、光射出部１１ｄの前端が化粧シート６の前面より前側に配置され、かつ、光射出部１１ｄの後端が化粧シート６の前面より後ろ側に配置されていても良い。
【００６１】
このように、照明装置５は、平板状に形成されるとともに、照明装置５の厚さ方向の一方側から光を射出する面発光型の照明装置であり、光射出側面１１ａに繋がる照明装置５の端面の前側部分（具体的には、外周面１１ｃ）および光射出側面１１ａは、光を射出する光射出部１１ｄとなっており、光射出部１１ｄの少なくとも一部は、建材４の前面（表側の面）よりも表側に配置されていても良い。この場合には、より広がりのある光を照明装置５から射出することが可能になる。すなわち、化粧シート６の前面よりも前側に配置される外周面１１ｃの全体または一部分から光を射出することが可能になるため、より広がりのある光を照明装置５から射出することが可能になる。したがって、照明装置付き建材１の意匠的な効果を高めることが可能になる。
【００６２】
また、この場合には、建材４の前面（表側の面）および光射出側面１１ａは、化粧シート６で覆われ、建材４の前面を覆う化粧シート６の模様と光射出側面１１ａを覆う化粧シート６の模様とが連続していることが好ましい。このようにすると、建材４の前面よりも前側に光射出部１１ｄの少なくとも一部が配置されていても、照明装置５が光を射出していないときに、照明装置５が建材４に取り付けられていることをわかりにくくすることが可能になる。
【００６３】
なお、この場合に、建材４の前面（表側の面）および光射出側面１１ａは、突板で覆われ、建材４の前面を覆う突板の模様と光射出側面１１ａを覆う突板の模様とが連続していても良い。この場合であっても、建材４の前面よりも前側に光射出部１１ｄの少なくとも一部が配置されていても、照明装置５が光を射出していないときに、照明装置５が建材４に取り付けられていることをわかりにくくすることが可能になる。
【００６４】
また、外周面１１ｃのうちの、建材４の前面よりも前側に配置される部分が、光射出側面１１ａとともに化粧シート６あるいは突板で覆われていても良い。この場合にも、化粧シート６または突板の前面よりも前側に配置される外周面１１ｃの全体または一部分から光を射出することが可能になる。そのため、より広がりのある光を照明装置５から射出することが可能になる。したがって、照明装置付き建材１の意匠的な効果を高めることが可能になる。また、この場合にも、建材４の前面を覆う化粧シート６（突板）の模様と、外周面１１ｃを覆う化粧シート６（突板）と、光射出側面１１ａを覆う化粧シート６（突板）の模様とが連続していることが好ましい。このようにすると、建材４の前面よりも前側に光射出部１１ｄの少なくとも一部が配置されていながら、照明装置５が光を射出していないときに、照明装置５が建材４に取り付けられていることをわかりにくくすることが可能になる。
【００６５】
（照明装置付き建材の変形例４）
図１０は、本発明の他の実施の形態にかかる照明装置付き建材１の斜視図である。図１１は、本発明の他の実施の形態にかかる照明装置付き建材１の斜視図である。図１０、図１１では、上述した形態と同一の構成には、同一の符号を付している。
【００６６】
上述した形態では、建材４の中心に照明装置５が取り付けられているが、建材４の中心からずれた位置に照明装置５が取り付けられていても良い。また、上述した形態では、建材４の大きさに比べて比較的小さな照明装置５が建材４に取り付けられているが、図１０に示すように、建材４の大きさよりも若干小さな照明装置５が建材４に取り付けられていても良い。
【００６７】
さらに、上述した形態では、１個の照明装置５が建材４に取り付けられているが、図１１に示すように、複数個の照明装置５が建材４に取り付けられていても良い。たとえば、４個の照明装置５が建材４に取り付けられていても良い。この場合には、第１部材１７に４個の貫通穴１７ａが形成されている。すなわち、建材４に４個の凹部４ａが形成されている。また、上述した形態では、前後方向から見たときに照明装置５の端面と建材４の端面とが平行になっているが、前後方向から見たときに照明装置５の端面と建材４の端面とが平行になっていなくても良い。
【００６８】
（照明装置付き建材の変形例５）
図１２は、本発明の他の実施の形態にかかる第１部材１７の構成を説明するための正面図である。
【００６９】
上述した形態において、第１部材１７は、図１２に示すように、第３部材２１と第４部材２２とによって構成されていても良い。すなわち、建材４は、第３部材２１と第４部材２２とを備えていても良い。第３部材２１および第４部材２２は、Ｌ形状をなす平板状に形成されている。
【００７０】
また、上述のように、照明装置５は、正方形の平板状に形成されており、照明装置５の４個の端面のうちの、互いに平行な２個の端面を第１端面５ａとし、残りの２個の端面を第２端面５ｂとすると、第３部材２１には、２個の第１端面５ａのうちの一方の第１端面５ａに接触する第１接触面として接触面２１ａと、２個の第２端面５ｂのうちの一方の第２端面５ｂに接触する第２接触面としての接触面２１ｂとが形成されている。また、第４部材２２には、２個の第１端面５ａのうちの他方の第１端面５ａに接触する第３接触面としての接触面２２ａと、２個の第２端面５ｂのうちの他方の第２端面５ｂに接触する第４接触面としての接触面２２ｂとが形成されている。
【００７１】
接触面２１ａ、２１ｂ、２２ａ、２２ｂは、平面状に形成されている。接触面２１ａ、２２ａの幅（図１２の左右方向の幅）は、照明装置５の第１端面５ａの長さ（図１２の左右方向の長さ）よりもわずかに短くなっている。接触面２１ｂ、２２ｂの幅（図１２の上下方向の幅）は、照明装置５の第２端面５ｂの長さ（図１２の上下方向の長さ）よりも長くなっている。接触面２１ｂの一端は、図１２における第３部材２１の下端面に繋がり、接触面２２ｂの一端は、図１２における第４部材２２の上端面に繋がっている。接触面２１ｂの他端は、接触面２１ａの一端に繋がり、接触面２２ｂの他端は、接触面２２ａの一端に繋がっている。
【００７２】
接触面２１ａの他端と図１２における第３部材２１の上端面との間の部分は、接触面２２ｂの一部分（図１２における上端側の一部分）に対向する対向面２１ｃとなっており、接触面２２ａの他端と図１２における第４部材２２の下端面との間の部分は、接触面２１ｂの一部分（図１２における下端側の一部分）に対向する対向面２２ｃとなっている。図１２に示す変形例では、第３部材２１と第４部材２２とが組み合わされて、照明装置５が配置される配置穴としての貫通穴１７ａが形成されている。
【００７３】
このように、照明装置５は、正方形の平板状に形成されるとともに、照明装置５の厚さ方向の一方側から光を射出する面発光型の照明装置であり、照明装置５の４個の端面のうちの、互いに平行な２個の端面を第１端面５ａとし、残りの２個の端面を第２端面５ｂとすると、建材４は、２個の第１端面５ａのうちの一方の第１端面５ａに接触する第１接触面としての接触面２１ａと２個の第２端面５ｂのうちの一方の第２端面５ｂに接触する第２接触面としての接触面２１ｂとが形成される第３部材２１と、２個の第１端面５ａのうちの他方の第１端面５ａに接触する第３接触面としての接触面２２ａと２個の第２端面５ｂのうちの他方の第２端面５ｂに接触する第４接触面としての接触面２２ｂとが形成される第４部材２２とを備え、第３部材２１と第４部材２２とが組み合わされて、照明装置５が配置される配置穴しての貫通穴１７ａが形成されていても良い。
【００７４】
この場合には、接触面２１ａ、２２ａの幅を第１端面５ａの長さよりもわずかに短くすることで、接触面２１ｂ、２２ｂと第２端面５ｂとを確実に接触させることが可能になるとともに、接触面２１ａ、２２ａと第１端面５ａとを確実に接触させることが可能になる。したがって、建材４の貫通穴１７ａの側面と照明装置５との間に隙間が形成されにくくなる。なお、上述した形態において、第１部材１７に貫通穴１７ａを精度良く形成すれば、建材４の貫通穴１７ａの側面と照明装置５との間に隙間が形成されにくくなるが、この場合には、第１部材１７の加工費が高くなる。
【００７５】
（照明装置付き建材の変形例６）
図１３は、本発明の他の実施の形態にかかる照明装置付き建材１の斜視図である。図１４は、図１３のＧ−Ｇ断面の構成を説明するための図である。図１３、図１４では、上述した形態と同一の構成には、同一の符号を付している。
【００７６】
上述した形態では、照明装置付き建材１は壁材であるが、本発明が適用される照明装置付き建材１は、天井材であっても良いし、床材であっても良いし、天板であっても良いし、階段用の建材であっても良い。また、本発明が適用される照明装置付き建材１は、化粧梁であっても良いし、框材であっても良いし、図１３、図１４に示すように、化粧柱であっても良い。図１３、図１４に示す例では、建材４は、四角柱状に形成されている。建材４の前面には、照明装置５が配置される凹部４ａが後ろ側へ窪むように形成されている。また、建材４には、配線１４を引き出すための貫通穴４ｄが形成されている。建材４の前面および光射出側面１１ａは、化粧シート６で覆われている。
【００７７】
また、上述した形態では、照明装置付き建材１は内装材であるが、本発明が適用される照明装置付き建材１は、外装材であっても良い。また、本発明が適用される照明装置付き建材１は、内装材や外装材等の仕上げ材でなくても良い。たとえば、照明装置付き建材１は、むき出しの構造材であっても良い。
【００７８】
（照明装置付き建材の変形例７）
図１５は、本発明の他の実施の形態にかかる照明装置付き建材１の構成を説明するための正面図である。図１６は、本発明の他の実施の形態にかかる照明装置付き建材１の構成を説明するための図であり、（Ａ）は正面図、（Ｂ）は（Ａ）のＨ−Ｈ断面の断面図である。図１５、図１６では、上述した形態と同一の構成には、同一の符号を付している。
【００７９】
上述した形態において、建築構造体３が、隣接配置される２個以上の照明装置付き建材１を備えている場合には、照明装置付き建材１は、隣接する２個の照明装置付き建材１同士を電気的に接続するための電気接点２５を備えていても良い。たとえば、図１５に示すように、隣接する２個の照明装置付き建材１が建材４の端面同士を接触させた状態で、構造材２に固定される場合には、照明装置付き建材１は、電気接点２５を備えていても良い。
【００８０】
この場合には、電気接点２５は、建材４の端面に配置されている。すなわち、電気接点２５は、照明装置付き建材１の端面に配置されている。電気接点２５には、配線等を介して照明装置５が電気的に接続されている。照明装置付き建材１が構造材２に固定された状態では、隣接する２個の照明装置付き建材１のうちの一方の照明装置付き建材１の電気接点２５と、他方の照明装置付き建材１の電気接点２５とが接触している。
【００８１】
このように、建築構造体３は、隣接配置される少なくとも２個の照明装置付き建材１を備え、照明装置付き建材１は、隣接する２個の照明装置付き建材１同士を電気的に接続するための電気接点２５を備え、建材４は、長方形の平板状に形成され、電気接点２５は、建材４の端面に配置されていても良い。この場合には、照明装置付き建材１を構造材２に固定することで、隣接する２個の照明装置付き建材１を、電気接点２５を用いて電気的に容易に接続することが可能になる。したがって、照明装置５に電力を供給するための配線の処理を簡素化することが可能になる。また、この場合には、１個の照明装置付き建材１に電力を供給すれば、残りの照明装置付き建材１にも電力を供給することが可能になる。
【００８２】
また、照明装置付き建材１が、隣接する２個の照明装置付き建材１同士を電気的に接続するための電気接点２５を備えている場合には、図１６に示すように、第１部材１７は、隣接する他の照明装置付き建材１の第１部材１７と前後方向において重なる重なり部１７ｃ、１７ｄを備えていても良い。すなわち、建材４は、隣接する他の照明装置付き建材１の建材４と前後方向において重なる重なり部１７ｃ、１７ｄを備えていても良い。重なり部１７ｃは、たとえば、長方形の平板状に形成される第１部材１７の短手方向の一端に形成され、重なり部１７ｄは、第１部材１７の短手方向の他端に形成されている。また、重なり部１７ｃ、１７ｄは、たとえば、第１部材１７の長手方向の全域に形成されている。
【００８３】
重なり部１７ｃは、第１部材１７の前端側に形成され、重なり部１７ｄは、第１部材１７の後端側に形成されている。図１６（Ａ）の左右方向（すなわち、第１部材１７の短手方向）における重なり部１７ｃの幅と重なり部１７ｄの幅とはほぼ等しくなっている。重なり部１７ｃは、前側から重なり部１７ｃに重なっている。電気接点２５は、重なり部１７ｃの後面に配置されるとともに、重なり部１７ｄの前面に配置されている。電気接点２５には、配線等を介して照明装置５が電気的に接続されている。照明装置付き建材１が構造材２に固定された状態では、隣接する２個の照明装置付き建材１のうちの一方の照明装置付き建材１の電気接点２５と、他方の照明装置付き建材１の電気接点２５とが接触している。この変形例では、重なり部１７ｃは、第１重なり部であり、重なり部１７ｄは、第２重なり部である。
【００８４】
このように、建築構造体３は、隣接配置される少なくとも２個の照明装置付き建材１を備え、照明装置付き建材１は、隣接する２個の照明装置付き建材１同士を電気的に接続するための電気接点２５を備え、建材４は、隣接する他の照明装置付き建材１の建材４と前後方向において重なる重なり部１７ｃ、１７ｄを備え、重なり部１７ｃは、前側（建材４の表側）から重なり部１７ｄに重なり、重なり部１７ｃの後面（裏側の面）に電気接点２５が配置され、重なり部１７ｄの前面（表側の面）に電気接点２５が配置されていても良い。
【００８５】
この場にも、照明装置付き建材１を構造材２に固定することで、隣接する２個の照明装置付き建材１を、電気接点２５を用いて電気的に容易に接続することが可能になる。したがって、照明装置５に電力を供給するための配線の処理を簡素化することが可能になる。また、この場合にも、１個の照明装置付き建材１に電力を供給すれば、残りの照明装置付き建材１にも電力を供給することが可能になる。また、この場合には、図１５に示す例と比較して、一方の照明装置付き建材１の電気接点２５と、他方の照明装置付き建材１の電気接点２５とを確実に接触させやすくなる。
【００８６】
なお、一般的には、照明装置付き建材１が壁材である場合や天井材である場合には、図１５に示す構造が採用され、照明装置付き建材１が床材である場合には、図１６に示す構造が採用される。また、隣接する２個の照明装置付き建材１がコネクタによって電気的に接続されていても良い。この場合には、たとえば、雌型コネクタまたは雄型コネクタが配線１４の先端に取り付けられている。
【００８７】
（建築構造体の変形例）
図１７は、本発明の他の実施の形態にかかる構造材２の構成を説明するための正面図である。図１８は、図１７のＪ−Ｊ方向から建築構造体３の構成を説明するための図である。図１９は、図１７のＫ−Ｋ方向から建築構造体３の構成を説明するための図である。
【００８８】
上述した形態において、照明装置付き建材１は、構造材２への照明装置付き建材１の取付面となる照明装置付き建材１の後面に配置される第２の電気接点としての電気接点２６を備えていても良い。この場合には、構造材２は、電気接点２６が接触する第３の電気接点としての電気接点２７を備えている。また、この場合には、建築構造体３は、隣接配置される２個以上の照明装置付き建材１を備えている。
【００８９】
構造材２は、細長い帯状に形成される２本の電気接点２７を備えている。２本の電気接点２７は、２個以上の照明装置付き建材１が配列される方向（図１７の左右方向）と、帯状に形成される電気接点２７の長手方向とが一致するように配置されている。２本の電気接点２７のうちの一方の電気接点２７には電流が供給され、他方の電気接点２７は、接地されている。照明装置付き建材１は、２本の電気接点２７のそれぞれに接触する２個の電気接点２６を備えている。電気接点２６には、配線等を介して照明装置５が電気的に接続されている。照明装置付き建材１が構造材２に固定された状態では、２個の電気接点２６のそれぞれが２本の電気接点２７のそれぞれに接触している。
【００９０】
また、照明装置付き建材１は、照明装置付き建材１の後面に配置される永久磁石３０を備えていても良い。この場合には、構造材２は、永久磁石３０を吸着する第２の永久磁石としての永久磁石３１を備えている。また、この場合には、２個以上の照明装置付き建材１の前面は、共通の化粧シート６で覆われている。
【００９１】
このように、照明装置付き建材１は、構造材２への照明装置付き建材１の取付面となる照明装置付き建材１の後面（裏側の面）に配置される電気接点２６を備え、構造材２は、電気接点２６が接触する電気接点２７を備えていても良い。この場合には、照明装置付き建材１を構造材２に固定することで、照明装置付き建材１と構造材２とを電気接点２６、２７を用いて電気的に容易に接続することが可能になる。したがって、照明装置５に電力を供給するための配線の処理を簡素化することが可能になる。
【００９２】
また、上述のように、照明装置付き建材１は、構造材２への照明装置付き建材１の取付面となる照明装置付き建材１の後面（裏側の面）に配置される永久磁石３０を備え、構造材２は、永久磁石３０を吸着する永久磁石３１を備えていても良い。この場合には、磁気的な吸引力によって照明装置付き建材１を構造材２に固定することが可能になるため、照明装置付き建材１の構造材２への固定作業が容易になるとともに、照明装置付き建材１の構造材２からの取外し作業が容易になる。また、磁気的な吸引力によって照明装置付き建材１を構造材２に固定すれば、照明装置付き建材１と構造材２とが電気的に接続されるため、照明装置付き建材１と構造材２との電気的な接続作業も容易になる。
【００９３】
また、上述のように、建築構造体３は、少なくとも２個の照明装置付き建材１を備え、少なくとも２個の照明装置付き建材１の前面（表側の面）は、共通の化粧シート６で覆われていることが好ましい。このようにすると、構造材２からの照明装置付き建材１の外れを、共通の化粧シート６によって防止することが可能になる。したがって、磁気的な吸引力によって照明装置付き建材１が構造材２に固定されていても、構造材２からの照明装置付き建材１の外れを防止することが可能になる。また、複数（少なくとも２個）の照明装置付き建材１を共通の化粧シート６で覆うことで、隣接する照明装置付き建材１と照明装置付き建材１との境目を化粧シート６で隠すことができるため、意匠性を高めることが可能になる。
【００９４】
なお、照明装置付き建材１は、永久磁石３０に代えて、軟磁性部材を備えていても良い。この場合には、構造材２の永久磁石３１は、この軟磁性部材を吸着する。また、構造材２は、永久磁石３１に代えて、永久磁石３０を吸着する軟磁性部材（第２の軟磁性部材）を備えていても良い。また、２個以上の照明装置付き建材１の前面は、共通の突板で覆われていても良い。
【００９５】
（他の実施の形態）
上述した形態において、照明装置付き建材１は、たとえば、タッピングネジによって構造材２に固定されていても良い。この場合には、図２の二点鎖線で示すように、建材４の、照明装置５を避けた箇所に、タッピングネジの軸部が挿入される挿入穴４ｂが形成されている。このように、建材４の、照明装置５を避けた箇所に、照明装置付き建材１が固定される構造材２に照明装置付き建材１を固定するためのネジの軸部が挿入される挿入穴４ｂが形成されていても良い。この場合には、タッピングネジの軸部を挿入穴４ｂにねじ込むことで構造材２に照明装置付き建材１を固定することが可能になるため、構造材２への照明装置付き建材１の固定作業が容易になる。
【００９６】
上述した形態では、建材４は、第１部材１７と第２部材１８との２個の部材によって構成されているが、建材４は、１個の部材によって構成されていても良い。この場合には、照明装置５が配置される凹部が建材４の前面から窪むように形成されていても良いし、照明装置５が配置される貫通穴が建材４に形成されていても良い。また、建材４は、３個以上の部材によって構成されていても良い。
【００９７】
上述した形態において、照明装置５は、長方形の平板状に形成されていても良いし、長方形および正方形以外の四角形の平板状に形成されていても良いし、五角形、六角形あるいは八角形等の四角形以外の多角形の平板状に形成されていても良い。また、建材４は、正方形の平板状に形成されていても良いし、長方形および正方形以外の四角形の平板状に形成されていても良いし、五角形、六角形あるいは八角形等の四角形以外の多角形の平板状に形成されていても良い。すなわち、照明装置付き建材１は、正方形の平板状に形成されていても良いし、長方形および正方形以外の四角形の平板状に形成されていても良いし、五角形、六角形あるいは八角形等の四角形以外の多角形の平板状に形成されていても良い。
【符号の説明】
【００９８】
１  照明装置付き建材
２  構造体（固定部材）
３  建築構造体
４  建材
４ａ  凹部
４ｂ  挿入穴
５  照明装置
５ａ  第１端面
５ｂ  第２端面
６  化粧シート
８  導光板
９  ＬＥＤ（光源）
１１  拡散板
１１ａ  光射出側面
１１ｄ  光射出部
１２  筐体
１７  第１部材
１７ａ  貫通穴（配置穴）
１７ｃ  重なり部（第１重なり部）
１７ｄ  重なり部（第２重なり部）
１８  第２部材
１８ａ  配線配置溝
２１  第３部材
２１ａ  接触面（第１接触面）
２１ｂ  接触面（第２接触面）
２２  第４部材
２２ａ  接触面（第３接触面）
２２ｂ  接触面（第４接触面）
２５  電気接点
２６  電気接点（第２の電気接点）
２７  電気接点（第３の電気接点）
３０  永久磁石
３１  永久磁石（第２の永久磁石）
【図１】
2018104997.tif 000003
【図２】
2018104997.tif 000004
【図３】
2018104997.tif 000005
【図４】
2018104997.tif 000006
【図５】
2018104997.tif 000007
【図６】
2018104997.tif 000008
【図７】
2018104997.tif 000009
【図８】
2018104997.tif 000010
【図９】
2018104997.tif 000011
【図１０】
2018104997.tif 000012
【図１１】
2018104997.tif 000013
【図１２】
2018104997.tif 000014
【図１３】
2018104997.tif 000015
【図１４】
2018104997.tif 000016
【図１５】
2018104997.tif 000017
【図１６】
2018104997.tif 000018
【図１７】
2018104997.tif 000019
【図１８】
2018104997.tif 000020
【図１９】
2018104997.tif 000021